(57)【要約】【課題】ヒレを備えた疑似餌（エギ）の改良。組立作業において、簡単且つ正確にヒレの方向が設定される疑似餌の提供。【解決手段】エギは、本体１１とヒレ１３とを有する。本体１１は、ベイトフィッシュに似た形態を呈する。ヒレ１３は、ピン部材１９によって保持され固定されている。ピン部材１９は、本体１１に固定されている。ピン部材１９は、円柱状の軸部２１を備える。軸部２１は、本体１１に設けられた嵌合凹部２０に嵌め込まれている。軸部２１は貫通孔２３を備え、これにヒレ１３が挿通されている。【選択図】　図２
2004089098.tif 000002
【特許請求の範囲】
【請求項１】
ベイトフィッシュに似せた形態を呈する本体と、
保持器によって保持されたヒレとを備え、
上記保持器が上記本体に対して所定方向に固定されている疑似餌。
【請求項２】
上記保持器は、軸部を備えたピン部材により構成され、当該軸部は、上記本体に設けられた嵌合凹部に嵌合されており、
上記ヒレは、その基部が上記軸部に設けられた貫通孔に挿通固定されている請求項１記載の疑似餌。
【請求項３】
上記軸部は断面が円形の棒状部材からなり、その端部にフランジ部が形成されている請求項２記載の疑似餌。
【請求項４】
上記軸部は、位置決め機構を介して上記嵌合凹部と嵌合されている請求項２又は３記載の疑似餌。
【発明の詳細な説明】
【０００１】
【発明の属する技術の分野】
この発明は、魚釣りに使用される疑似餌の構造に関するものである。
【０００２】
【従来の技術及び発明が解決しようとする課題】
近年では、疑似餌を使用する魚釣りが盛んに行われている。この疑似餌は、樹脂、金属、木材等により構成され、文字通りその姿態がベイトフィッシュに似せられている。そして、疑似餌が使用される釣りは、疑似餌が水中にキャストされ、リトリーブされることにより、ターゲットとなる魚が疑似餌にアタックするのを期待する釣法である。
【０００３】
疑似餌の中でも、特に「エギ」と称されるものがある。エギは、一般に図３が示すような姿態を有し、主としてイカ釣りに使用される。エギ１は、本体２及び掛針３を備え、本体２には一般にヒレ４が装着されている。このヒレ４は、通常は複数の合成樹脂の羽部材からなり、ピン５によって本体２に固定されている。そして、エギ１の性能（ターゲットなる魚に対するベイトフィッシュの存在のアピール）は、ヒレ４の本体２に対する取付角度に依るところが大きいと言われている。
【０００４】
図５は、従来のエギのヒレの固定要領を示す図である。
同図が示すように、ヒレ４は、本体２に設けられた取付孔６に挿入され、接着剤と共にピン５が嵌め込まれることによって本体２に固定されている。
また、上記ピン５が使用されず、接着剤のみによってヒレ４が本体２に取り付けられている構造も提供されている（例えば、特許文献１参照）。
【０００５】
【特許文献１】
実開平４−１３３１７１号公報
【０００６】
しかし、上記のような固定要領では、取付孔６に挿入されたヒレ４は、ピン５で押さえつけられて固定されるから、ピン５が挿入されるときにヒレ４の方向が変化しやすい。そのため、エギ１が組み立てられる際に、ヒレ４の方向が、予め設計された方向に正確に設定されにくい。しかも、ヒレ４の固定は、専ら接着剤によるものであるから、エギ１の使用中にヒレ４の方向が変化しやすく、また、場合によっては、ヒレ４が本体２から脱落するおそれもある。
【０００７】
そこで、本発明の目的は、組み立ての際に、簡単且つ正確にヒレの方向を設定することができる疑似餌を提供することである。
【０００８】
【課題を解決するための手段】
（１）　上記目的を達成するため、本願に係る疑似餌は、ベイトフィッシュに似せた形態を呈する本体と、保持器によって保持されたヒレとを備え、上記保持器が上記本体に対して所定方向に固定されていることを特徴とするものである。
この構成によれば、ヒレを保持した保持器が本体に対して所定方向に固定されることによって、間接的にヒレが予め設計された方向となるように本体に装着される。すなわち、ヒレが直接本体に固定されるのではなく、保持器を介して本体に固定されるから、ヒレの装着作業が簡単であり、本体に対してヒレが所定方向に正確に固定される。
【０００９】
（２）　上記保持器は、軸部を備えたピン部材により構成され、当該軸部は、上記本体に設けられた嵌合凹部に嵌合されており、上記ヒレは、その基部が上記軸部に設けられた貫通孔に挿通固定されている構造が採用される。
この構成では、ヒレの基部がピン部材の軸部に設けられた貫通孔に挿通されることにより、ヒレがきわめて簡単に軸部に固定される。そして、この軸部が本体の嵌合凹部に嵌め込まれることにより、ピン部材がきわめて簡単に本体に固定される。したがって、ヒレは、本体に対して簡単且つ正確に固定される。
【００１０】
また、上記軸部は断面が円形の棒状部材からなり、その端部にフランジ部が形成されていてもよい。
この構成では、軸部が円形の棒状部材からなるので、ピン部材は、上記嵌合凹部に対して装着方向が自在に調整される。これにより、本体に対するヒレの方向は、自在に且つ正確に調整される。しかも、軸部にはフランジ部が設けられているから、ヒレを本体に取り付ける作業の際に、当該作業者がフランジ部を把持することができるので、ヒレの取付作業がより簡単なものとなる。
【００１１】
さらに、上記軸部は、位置決め機構を介して上記嵌合凹部と嵌合されていてもよい。
この構成では、上記軸部は、上記嵌合凹部に嵌合されたときは、当該嵌合凹部に対して位置決めされる。したがって、嵌合凹部に対する軸部の相対的位置、つまり、本体に対するヒレの所定方向が予め設計されると、軸部が嵌合凹部に嵌め込まれるだけで、上記予め設計された所定方向にヒレが配置される。これにより、ヒレを本体に取り付ける作業がより一層簡単なものとなる。
【００１２】
【発明の実施の形態】
以下、適宜図面が参照されつつ、好ましい実施形態に基づいて本発明が詳細に説明される。
【００１３】
図１は、本発明の一実施形態に係る疑似餌の正面図である。
この疑似餌１０は、主としてイカ釣りに使用されるものであり、一般に「エギ」と称される。エギ１０は、ベイトフィッシュに似せた姿態を有する本体１１と、本体１１に設けられたフック１２、ヒレ１３およびアイ１４とを備えている。本体１１は、たとえば合成樹脂や木材等により構成される。本体１１には、図１では図示されていないが、魚やエビ等に似せるために所要の迷彩塗装が施される。
【００１４】
本体１１の先端所定部には、目１５が取り付けられている。これにより、エギ１０は、ベイトフィッシュとして、よりリアルな擬態を呈している。
本体１１の前方には、重錘１６が装着されている。重錘１６は板状に形成され、本体１１に嵌め込まれている。この重錘１６によって、エギ１０は水中で沈下するが、エギ１０がリトリーブされることによって、エギ１０は、ベイトフィッシュに似た泳ぎを行う。
【００１５】
本体１１の中央部の上面１７は、図が示すような曲面に形成されている。これにより、エギ１０がリトリーブされた場合に、水が傾斜面１８に衝突し、エギ１０は、よりベイトフィッシュの泳ぎに似せた動きをする。
また、この傾斜面１８に窪み（ディンプル）を設けることもできる。これにより、水がより大きい抵抗を受けるので、エギ１０は、一層ベイトフィッシュの泳ぎに似せた動きをする。
【００１６】
本体１１の後端部にはフック１２が設けられている。このフック１２は、従来から疑似餌用として採用されているものである。フック１２は、複数の針が寄せ集められ、全体として放射状に前方に突出するように形成されている。
なお、本実施形態では、フック１２は単一であるが、フック１２が複数設けられていてもよい。
【００１７】
アイ１４は、本体１１の先端部に取り付けられている。アイ１４は、円環状に形成されており、釣糸が連結されるようになっている。アイ１４は、たとえばステンレス等の金属棒を湾曲形成して構成されており、この金属棒の外径（線径）は、０．７ｍｍ〜１．８ｍｍ程度のものを採用することができる。
【００１８】
ヒレ１３は、本体１１の所定部に取り付けられている。
図２は、エギ１０の要部拡大分解斜視図であり、ヒレ１３の取付要領を図示している。
同図が示すように、ヒレ１３は、ピン部材１９（保持器）によって本体１１に取り付けられている。
本体１１の所定部には、嵌合凹部２０が設けられている。この嵌合凹部２０に、上記ピン部材１９が嵌め込まれるようになっている。嵌合凹部２０は、内壁面が円柱状となる円形の長孔に形成されており、その内径は、２ｍｍ〜８ｍｍ程度に設定され、深さは、２ｍｍ〜２０ｍｍ程度に設定される。
【００１９】
ピン部材１９は、ヒレ１３を保持固定するためのものである。ピン部材１９は、軸部２１とフランジ部２２とを有する。
軸部２１は、断面が円形の丸棒状に形成されており、その外径は、２ｍｍ〜８ｍｍ程度に設定され、軸方向長さは、３ｍｍ〜２５ｍｍ程度に設定される。
【００２０】
軸部２１には、図２が示すように、径方向に沿って貫通孔２３が設けられている。この貫通孔２３は、ヒレ１３が挿通されるようになっており、ヒレ１３は、後述のようにしてピン部材１９に固定される。
貫通孔２３の内径は、０．５ｍｍ〜３．０ｍｍ程度に設定される。なお、本実施形態では、貫通孔２３は径方向に沿って設けられているが、当該方向に限定されるものではなく、一般に軸方向に交差する方向に沿って設けられていればよい。
また、フランジ部２２は、図２が示すような円板状に形成されている。フランジ部２２は、軸部２１の上端部に連続して形成されており、軸部２１よりも大径に形成されている。
【００２１】
ヒレ１３は、基部２４と羽根部２５とを備えている。羽根部２５は、基部２４に延設されている。本実施形態では、ヒレ１３がかかる形状に形成されているが、これに限定されるものではなく、ヒレが、例えばナイロン糸が束ねられて構成されていてもよい。
ヒレ１３の基部２４は、図２が示すように、ピン部材１９の上記貫通孔２３に挿通されている。ヒレ１３の基部２４は、例えば接着剤等によって、上記貫通孔２３に挿通された状態でピン部材１９に対して固定されている。
なお、上記基部２４は、上記貫通孔２３に挿通され、ピン部材１９の軸部２１に巻き付けられていてもよい。これによれば、ヒレ１３は、より確実に軸部２１に固定される。
【００２２】
したがって、エギ１０が組み立てられる際には、組立作業者は、ピン部材１９を手に取り、これを把持しながらピン部材１９の軸部２１を本体１１の嵌合凹部２０に嵌め込む。これにより、ピン部材１９と共にヒレ１３が本体１１に取り付けられる。なお、ピン部材１９は、例えば接着剤等により、本体１１に固着される。
【００２３】
本実施形態に係るエギ１０では、ヒレ１３を保持したピン部材１９が本体１１に対して所定方向に固定されることによって、ヒレ１３が予め設計された方向となるように本体１１に装着される。
すなわち、従来のように、ヒレ１３が直接本体１１に固定されるのではなく、ピン部材１９を介して本体１１に固定されるから、エギ１０の組立作業者は、予め設計された方向に容易且つ正確にヒレ１３を配置することができる。
その結果、ヒレ１３は、正確に所定方向に向けられ、エギ１０は、リトリーブされる際に、よりベイトフィッシュの存在をアピールすることが可能となる。
【００２４】
しかも、ヒレ１３は、ピン部材１９に保持固定されているから、本体１１に取り付けられた場合に、容易に外れてしまうことがないという利点もある。
また、本実施形態では、ヒレ１３は、上記ピン部材１９により保持されており、このピン部材１９は、円柱状に形成された簡単な構成であるので、ヒレ１３を保持する手段が簡単且つ安価に構成される。しかも、軸部２１が円柱状に形成されているから、組立作業者は、軸部２１を軸方向わまりに回転させるだけで、ヒレ１３を所望の方向に向けることができ、ヒレ１３は、より簡単且つ正確に所定方向に向けられる。
【００２５】
さらに、ピン部材１９は、本体１１に設けられた嵌合凹部２０に嵌め込まれているだけであるから、ピン部材１９の取付構造もきわめて簡単である。したがって、エギ１０の製造コストが大幅に上昇することがないという利点もある。
もっとも、ヒレ１３を保持する部材（手段）は、上記ピン部材１９に限定されるものではなく、例えば、断面が多角形状のピンや、ヒレ１３を挟持するような部材等、種々の手段が採用され得る。
【００２６】
特に、本実施形態では、ピン部材１９がフランジ部２２を備えているから、組立作業者は、このフランジ部２２を把持しながら、ピン部材１９を上記嵌合凹部２０に嵌め込むことができる。したがって、作業者は、本体１１に対するヒレ１３の方向を自在に調整することができ、なお一層簡単且つ正確にヒレ１３を所定の方向に向けて取り付けることができる。
【００２７】
次に、本実施形態の変形例について説明される。
図４は、本実施形態の変形例に係るエギ１０の要部拡大分解斜視図であり、ヒレ１３の他の取付要領を図示している。
本変形例が上記実施形態と異なるところは、ピン部材１９が後述される位置決め機構３０を介して本体１１に取り付けられている点、及び、ピン部材１９には、所定方向に沿って貫通孔２３が設けられている点である。なお、その他の構成については、上記実施形態が開示するものと同様である。
【００２８】
上記位置決め機構３０は、本変形例では、ピン部材１９に設けられたキー３１と、これに対応して本体１１に設けられたキー溝３２とを備えている。
また、貫通孔２３の方向は、上記実施形態と同様の方向である。ただし、この貫通孔２３の方向は、ヒレ１３の方向を規定するものであり、貫通孔２３の方向は、予め設計された所要の方向に沿わされるものである。
【００２９】
本変形例では、ピン部材１９が嵌合凹部２０に嵌め込まれることにより、上記キー３１とキー溝３２とが嵌め合わされる。つまり、ピン部材１９は、位置決め機構３０によって規定される方向に沿ってのみ嵌合凹部２０と嵌合し得るものであり、当該方向に位置決めされる。そして、ピン部材１９が嵌合凹部２０と嵌合した状態で、ヒレ１３は、上記予め設計された方向に配置される。
したがって、本変形例では、組立作業者は、ピン部材１９を嵌合凹部２０に嵌め込むという作業を行うのみにより、ピン部材１９の位置決め及びヒレ１３の所定方向への取り付けが同時に自動的に行われる。これにより、エギ１０の組立作業は、一層簡単に行われるという利点がある。
【００３０】
なお、本変形例では、上記位置決め機構３０は、上記キー３１及びキー溝３２により構成されているが、これに限定されるものではない。例えば、ピン部材１９の軸部２１の断面形状が六角形状に形成され、これに対応されるように、本体１１に設けられた上記嵌合凹部２０の内壁面形状が六角形状に形成されていてもよい。もっとも、軸部２１の断面形状及び嵌合凹部２０の内壁面形状が六角形に限定されるものではなく、一般に多角形状に形成されていもよい。要するに、ピン部材１９が予め定められた方向にのみ嵌合凹部２０に嵌合し、且つ両者が相対的に位置決めされる構成であればよい。
【００３１】
【発明の効果】
以上のように本発明によれば、ヒレが保持器を介して本体に取り付けられるので、当該疑似餌を組み立てる際に、作業者が保持器を本体に取り付けるというきわめて簡単な作業を行うことによって、ヒレは、本体に対して予め設計された方向に正確に固定される。
【図面の簡単な説明】
【図１】図１は、本発明の一実施形態に係る疑似餌の正面図である。
【図２】図２は、本発明の一実施形態に係る疑似餌（エギ）の要部拡大分解斜視図である。
【図３】図３は、従来の一般的なエギの正面図である。
【図４】図４は、本発明の一実施形態の変形例に係る疑似餌の要部拡大斜視図である。
【図５】図５は、従来の一般的なエギのヒレの固定要領を示す図である。
【符号の説明】
１０・・・エギ
１１・・・本体
１３・・・ヒレ
１９・・・ピン部材
２０・・・嵌合凹部
２１・・・軸部
２２・・・フランジ部
２３・・・貫通孔
２４・・・基部
２５・・・羽根部
３０・・・位置決め機構
３１・・・キー
３２・・・キー溝
【図１】
2004089098.tif 000003
【図２】
2004089098.tif 000004
【図３】
2004089098.tif 000005
【図４】
2004089098.tif 000006
【図５】
2004089098.tif 000007